(57)【要約】【課題】  登録している多くの相手先情報の中から発信目標の相手先情報を検索する際や、登録、削除、変更など相手先情報を編集する際に、煩雑なスイッチ操作を必要としないようにする。【解決手段】  加入者情報記憶部１４のアドレス帳には、複数のメモリエリアの各々に固有のメモリナンバが割り当てられ、各メモリエリアに電話番号を含む相手先情報を登録することが可能であり、制御部１３は、アドレス帳における複数のメモリエリアのメモリナンバを表示部４に一覧表示し、表示されたメモリナンバに基づいてアドレス帳の内容を編集する。【選択図】  図１
2005045640.tif 000002
【特許請求の範囲】
【請求項１】
複数のメモリエリアの各々に固有の識別情報が割り当てられ、各メモリエリアに電話番号を含む相手先情報を登録可能な記憶手段において、すべてのメモリエリアの識別情報又はあらかじめ設定された数のメモリエリアの識別情報を所定の表示手段に一覧表示する表示制御手段と、
前記表示制御手段によって一覧表示された識別情報に基づいて前記記憶手段の内容を編集する編集制御手段と、
を備えたことを特徴とする通信端末装置。
【請求項２】
前記表示制御手段は、相手先情報が登録されているメモリエリアの識別情報と相手先情報が未登録のメモリエリアの識別情報とを異なる表示態様で一覧表示することを特徴とする請求項１記載の通信端末装置。
【請求項３】
前記編集制御手段は、データ種別ごとに分類して相手先情報を前記記憶手段に登録し、前記表示制御手段は、相手先情報が登録されているメモリエリアの識別情報を分類されたデータ種別ごとに異なる表示態様で一覧表示することを特徴とする請求項１記載の通信端末装置。
【請求項４】
複数のメモリエリアの各々に固有の識別情報が割り当てられ、各メモリエリアに電話番号を含む相手先情報を登録可能な記憶手段において、すべてのメモリエリアの識別情報又はあらかじめ設定された数のメモリエリアの識別情報を所定の表示手段に一覧表示する第１のステップと、
前記第１のステップによって一覧表示された識別情報に基づいて前記記憶手段の内容を編集する第２のステップと、
を実行することを特徴とする通信情報処理のプログラム。
【請求項５】
前記第１のステップは、相手先情報が登録されているメモリエリアの識別情報と相手先情報が未登録のメモリエリアの識別情報とを異なる表示態様で一覧表示することを特徴とする請求項４記載の通信情報処理のプログラム。
【請求項６】
前記第２のステップは、データ種別ごとに分類して相手先情報を前記記憶手段に登録し、前記第１のステップは、相手先情報が登録されているメモリエリアの識別情報を分類されたデータ種別ごとに異なる表示態様で一覧表示することを特徴とする請求項４記載の通信情報処理のプログラム。
【発明の詳細な説明】
【技術分野】
【０００１】
本発明は、通信端末装置および通信情報処理のプログラムに関し、特に、電話番号などの相手先情報を処理する通信端末装置および通信情報処理のプログラムに関するものである。
【背景技術】
【０００２】
携帯電話などの通信端末装置においては、電話番号などからなる複数の相手先情報をアドレス帳のデータとして記憶するメモリを備えている。電話したい相手に発信する際には、ＬＣＤなどの表示器のメニュー画面でアドレス帳のアイコンに対応する所定のスイッチを操作してアドレス帳を画面に表示させ、カーソルスイッチなどのスイッチ操作によって目的の相手先情報を表示させて発信する。また、新たな相手先情報を登録する際には、メニュー画面で新規登録のアイコンに対応する所定のスイッチを操作してアドレス帳を画面に表示させ、登録する相手の名前、読み、電話番号、メールアドレスなどからなる相手先情報を入力し、表示された内容を確認して登録操作を行う。
【０００３】
アドレス帳のメモリにおける複数のメモリエリアの各々には固有の番号が割り当てられている。例えば、１０００件の相手先情報を記憶できるメモリには、各メモリエリアに０００〜９９９の番号が割り当てられている。そして、登録された相手先情報の画面には、その相手先情報に割り当てられている番号が表示される。また、新たな相手先情報を登録する際には、未登録のメモリエリアのうち最も若い番号が新規登録のメモリエリアとして表示される。
【０００４】
ところが、従来のアドレス帳は、例えば、あいうえお順に管理する構成になっているので、登録件数が多い場合には発信したい相手を検索するのにカーソルキーの操作が非常に多くなってしまうという問題があった。例えば、あいうえお順に管理されている場合において、「な」行に２５件の登録がされている場合において、ちょうど真ん中の１３番目の相手を検索するときには、「な」行の検索に５回のスイッチ操作を行い、「な」行において順方向に検索しても逆方向に検索しても１３回のスイッチ操作を行うので、合計１８回のスイッチ操作を必要とする。スイッチ操作を少なくするための改善策として、相手先情報をグループ分けする方法がある。すなわち、家族、会社関係、友人関係、スポーツクラブなどのグループに分類して登録し、まずグループを選択して目標の相手を検索することで、ある程度はスイッチ操作を少なくできる。しかし、グループ数やグループ内の登録件数が多い場合には、スイッチ操作が多くなることには変わりない。また、従来のグループ分けの方法においては、新たな相手先情報を登録し特定の相手先情報を削除する編集の場合に、グループを特定するためのスイッチ操作が必要になるので、編集作業が繁雑になるという問題があった。
【０００５】
相手先情報の登録やグループ分けに関連する従来の提案としては、登録の際に相手先のネットワークの通信種別を考慮するもの、複数の連絡相手を所属するグループと対応づけて記憶するもの、メモリ内にグループ化された領域を備えたものなどがある。
登録の際に相手先のネットワークの通信種別を考慮する提案においては、電話種別とそのパターンとを対応させて通信種別データベースに記憶する手段と、前記通信種別データベース上にある全パターンとを照合する手段と、照合一致したパターンに対応する通信種別を、入力された前記電話番号とともに自動的に電話帳登録する手段と、電話帳登録されている相手先の名称や電話番号を表示する際に、その電話番号とともに電話帳登録された通信種別を、視覚的に識別可能な図形又は文字による識別記号で表す手段とを具備した構成になっている。この構成により、登録される電話番号の最初の数桁のパターンによって、国際電話、ポケベル、ＰＨＳ、携帯電話、フリーダイヤル、市外電話、緊急電話、市内電話のそれぞれのデータベースに自動的に登録する。例えば、００で始まる電話番号は国際電話のデータベース、０９０で始まる電話番号は携帯電話のデータベースに登録する（特許文献１参照）。
複数の連絡相手を所属するグループと対応づけて記憶する提案においては、複数の連絡相手を、当該連絡相手が所属するグループと対応づけて記憶する連絡相手記憶手段と、前記連絡相手記憶手段に記憶された複数の連絡相手の中から、一の連絡相手を指定する指定手段と、前記一の連絡相手先の時刻が通話可能時間であるか否かを判別する判別手段と、前記判別手段により通話可能時間でないと判別された場合に、前記一の連絡相手と同一のグループに所属する他の連絡相手を前記連絡相手記憶手段から検索し、当該他の連絡相手との通話処理を実行する通話処理手段とを備える構成になっている。この構成により、登録モードが選択された際に、ＣＰＵは、名前と電話番号とに対応付けて所属グループを電話帳データベースに蓄積する（特許文献２参照）。
メモリ内にグループ化された領域を備えた提案においては、携帯可能な装置本体の所定の面に配置された情報を表示するディスプレイと、前記装置本体内部に格納され複数の構成データをグループごとに記憶する半導体メモリからなる構成データ記憶手段と、特定のグループを構成する構成データそれぞれを特定するための識別情報を前記ディスプレイに一覧表示させる一覧表示手段と、この一覧表示手段によって表示された識別情報の中から所望の識別情報を逐次指定する識別情報逐次指定手段と、この識別情報逐次指定手段で逐次指定された識別情報のそれぞれに対応する前記構成データ記憶手段に格納された構成データに対して指定された同一の処理内容を実行する同一処理実行手段と、を具備する構成になっている。この構成により、着信履歴を一覧表示して着信ごとに新規登録や削除などの編集を行う（特許文献３参照）。
【特許文献１】特開２００２−２７０８４号公報
【特許文献２】特開２００３−１８８９７８号公報
【特許文献３】特開２００３−１７９６７９号公報
【発明の開示】
【発明が解決しようとする課題】
【０００６】
しかしながら、上記各文献においても、登録している多くの相手先情報の中から発信目標の相手先情報を検索する際や、登録、削除、変更など相手先情報を編集する際に、煩雑なスイッチ操作を要するという問題は根本的には解決されていない。その原因の１つとしては、近年において、相手先情報を登録するメモリの容量が大幅に増加し、通信端末装置の表示面が大きくなったにもかかわらず、相手先情報を管理する方法がそれ以前の状態から進歩していない点が挙げられる。
本発明は、このような従来の課題を解決するためのものであり、相手先情報を登録するメモリの容量が大幅に増加したことに適応し、通信端末装置の表示面が大きくなった利点を活用することにより、登録している多くの相手先情報の中から発信目標の相手先情報を検索する際や、登録、削除、変更など相手先情報を編集する際に、煩雑なスイッチ操作を必要としない通信端末装置および通信情報処理のプログラムを提供することを目的とする。
【課題を解決するための手段】
【０００７】
請求項１記載の通信端末装置の発明は、複数のメモリエリア（実施形態においては、図２のメモリ（０００）エリアないしメモリ（ｎ）エリアに相当する）の各々に固有の識別情報（実施形態においては、メモリナンバに相当する）が割り当てられ、各メモリエリアに電話番号を含む相手先情報（実施形態においては、図２のメモリエリアに記憶されるデータに相当する）を登録可能な記憶手段（実施形態においては、図１の加入者情報記憶部１４に相当する）において、すべてのメモリエリアの識別情報又はあらかじめ設定された数のメモリエリアの識別情報を所定の表示手段（実施形態においては、図１の表示部４に相当する）に一覧表示する表示制御手段（実施形態においては、図１の制御部１３に相当する）と、表示制御手段によって一覧表示された識別情報に基づいて記憶手段の内容を編集する編集制御手段（実施形態においては、図１の制御部１３に相当する）と、を備えた構成になっている。
【０００８】
この場合において、請求項２に記載したように、表示制御手段は、相手先情報が登録されているメモリエリアの識別情報と相手先情報が未登録のメモリエリアの識別情報とを異なる表示態様（実施形態においては、カスレ表示およびアクティブ表示に相当する）で一覧表示するような構成にしてもよい。
あるいは、請求項３に記載したように、編集制御手段は、データ種別ごとに分類して相手先情報を記憶手段に登録し、表示制御手段は、相手先情報が登録されているメモリエリアの識別情報を分類されたデータ種別ごとに異なる表示態様（実施形態においては、異なる表示色に相当する）で一覧表示するような構成にしてもよい。
【０００９】
またこの場合において、表示制御手段は、相手先情報が登録されているメモリエリアの識別情報が操作に応じて選択されたときは、当該選択された識別情報のメモリエリアの内容を表示するように構成してもよい。
【００１０】
請求項４に記載の通信情報処理のプログラムは、複数のメモリエリア（実施形態においては、図２のメモリ（０００）エリアないしメモリ（ｎ）エリアに相当する）の各々に固有の識別情報（実施形態においては、メモリナンバに相当する）が割り当てられ、各メモリエリアに電話番号を含む相手先情報（実施形態においては、図２のメモリエリアに記憶されるデータに相当する）を登録可能な記憶手段（実施形態においては、図１の加入者情報記憶部１４に相当する）において、すべてのメモリエリアの識別情報又はあらかじめ設定された数のメモリエリアの識別情報を所定の表示手段（実施形態においては、図１の表示部４に相当する）に一覧表示する第１のステップと、第１のステップによって一覧表示された識別情報に基づいて記憶手段の内容を編集する第２のステップと、を実行する。第１のステップおよび第２のステップは、実施形態においては、図１の制御部１３の処理に相当する。
【００１１】
この場合において、請求項５に記載したように、第１のステップは、相手先情報が登録されているメモリエリアの識別情報と相手先情報が未登録のメモリエリアの識別情報とを異なる表示態様で一覧表示するように構成してもよい。
あるいは、請求項６に記載したように、第２のステップは、データ種別ごとに分類して相手先情報を前記記憶手段に登録し、第１のステップは、相手先情報が登録されているメモリエリアの識別情報を分類されたデータ種別ごとに異なる表示態様で一覧表示するように構成してもよい。
【００１２】
またこの場合において、第１のステップは、相手先情報が登録されているメモリエリアの識別情報が操作に応じて選択されたときは、当該選択された識別情報のメモリエリアの内容を表示するように構成してもよい。
【発明の効果】
【００１３】
本発明の通信端末装置および通信情報処理のプログラムは、登録している多くの相手先情報の中から発信目標の相手先情報を検索する際や、登録、削除、変更など相手先情報を編集する際に、煩雑なスイッチ操作を必要としないという効果が得られる。
【発明を実施するための最良の形態】
【００１４】
以下、本発明による通信端末装置の実施形態について、携帯電話を例に採って図を参照して説明する。
図１は、実施形態における携帯電話の構成を示すブロック図である。まず、機構的な構成について説明する。携帯電話１の本体ケース（図示せず）には、送受信のアンテナ２、音声発生用のスピーカ３、カラー液晶などからなる表示部４、スイッチ入力部５、音声入力用のマイク６、メモリスティックなどの記憶媒体の読み出しおよび書き込みを行う記憶媒体制御部７、発光で着信を通知する背面表示部８、リンガ音で着信を通知するスピーカ９が設けられている。
【００１５】
スイッチ入力部５には、ダイヤルスイッチと兼用の文字入力スイッチ、クリアスイッチ、決定スイッチ、カーソルスイッチ、表示されたアイコンを選択するスイッチ、発信スイッチなど（図示せず）のほかに、オフフックスイッチ５１およびオンフックスイッチ５２が設けられている。また、背面表示部８は、透明又は半透明の部材で構成され、着信に応じて点滅するＬＥＤ８１を内蔵している。また、振動によって着信を通知するバイブレータ１０が本体ケースに内蔵されている。
【００１６】
次に、電気的な構成について説明する。無線送受信部１１は、アンテナ２を介して、変調された音声やデータを送信又は受信する。無線信号処理部１２は、無線送受信部１１によって受信された音声やデータを復調し、無線送受信部１１によって送信される音声やデータを変調する。制御部１３は、システムバスを介してコマンドおよびデータの授受を行ってこの装置全体を制御する。
【００１７】
加入者情報記憶部１４は、アドレス帳エリア、着信履歴エリア、発信履歴エリアなどで構成されている。各エリアのデータについては後述する。システムＲＯＭ１５は、制御部１３によって実行される通信制御処理のプログラム、合成音声データ、種々の初期データなどを記憶している。メモリ１６は、制御部１３によって処理されるデータを一時的に記憶するワークエリアである。
【００１８】
音声信号処理部１７は、通話中の音声信号や合成音声データの音声信号をディジタルからアナログに変換してスピーカ３に与えて発音させるとともに、マイク６からの音声信号をアナログからディジタルに変換して制御部１３に入力する。ドライバ１８は、背面キー８のＬＥＤ８１、スピーカ９、およびバイブレータ１０を駆動する。ドライバ１９は、表示部４を駆動する。ドライバ２０は、記憶媒体制御部７を駆動する。
【００１９】
図２は、加入者情報記憶部１４のアドレス帳エリアのデータ構成を示す図である。アドレス帳エリアは、メモリナンバ０００、００１、００２、…、ｍａｘで識別されるメモリ（０００）エリア〜メモリ（ｍａｘ）エリアからなる複数のメモリエリアで構成されている。各メモリエリアには、相手先情報として、名前、名前ヨミ、グループ、複数系統の電話番号およびそのタイプとして、電話番号１および電話番号タイプ１、…、電話番号Ｍおよび電話番号タイプＭ、通常使用電話番号、その他のデータが記憶できる。
【００２０】
次に、図１の構成による実施形態の動作について、図３ないし図１２に示す制御部１３の動作フローチャートおよび図１３ないし図１８に示す表示部４の画面を参照して説明する。
図３は、メインフローチャートであり、所定のイニシャライズ（ステップＳＡ１）の後、ステップＳＡ２以下のループ処理を繰り返す。ループ処理の最初に、待受画面を表示する（ステップＳＡ２）。そして、着信があったか否かを判別し（ステップＳＡ３）、着信があったときは着信音で報知する（ステップＳＡ４）。報知している間にオフフックがされたか否かを判別し（ステップＳＡ５）、オフフックがされたときは着信音を停止して（ステップＳＡ６）、通話処理に遷移する（ステップＳＡ７）。通話処理においてオンフックがされたか否かを判別し（ステップＳＡ８）、オンフックがされたときはステップＳＡ２に移行して待受画面を表示する。
【００２１】
ステップＳＡ３において着信がない場合には、オフフックがされたか否かを判別し（ステップＳＡ９）、オフフックがされたときは、操作に応じて電話番号を入力する（ステップＳＡ１０）。そして、発信操作がされたか否かを判別し（ステップＳＡ１１）、発信操作がされたときは、呼び出し音を報知する（ステップＳＡ１２）。報知している間に相手との接続が確立したか否かを判別し（ステップＳＡ１３）、接続が確立したときは、通話処理に遷移する（ステップＳＡ１４）。通話処理においてオンフックがされたか否かを判別し（ステップＳＡ１５）、オンフックがされたときはステップＳＡ２に移行して待受画面を表示する。
【００２２】
ステップＳＡ９においてオフフックがされない場合には、アドレス帳スイッチがオンされたか否かを判別し（ステップＳＡ１６）、このスイッチがオンされたときは、アドレス帳処理を実行する（ステップＳＡ１７）。アドレス帳スイッチがオンされない場合には、その他のスイッチがオンされたか否かを判別し（ステップＳＡ１８）、その他のスイッチがオンされたときは、その他の処理を実行する（ステップＳＡ１９）。そして、ステップＳＡ２に移行して待受画面を表示する。
【００２３】
図４は、図３のメインフローチャートにおけるステップＳＡ１７のアドレス帳処理のフローチャートである。まず、メニュー画面を表示する（ステップＳＢ１）。図１３は、メニュー画面を示す図である。メニュー画面には、メモリナンバアイコンと新規入力アイコンとが表示される。メニュー画面を表示した最初は、新規入力アイコンにカーソルを表示する（ステップＳＢ２）。例えば、図１３の新規入力アイコンを反転表示する。次に、カーソルスイッチがオンされたか否かを判別し（ステップＳＢ３）、このスイッチがオンされたとききは、カーソル位置を変更する（ステップＳＢ４）。
【００２４】
そして、決定スイッチがオンされたか否かを判別し（ステップＳＢ５）、このスイッチがオンされたときは、カーソル位置が新規入力アイコン又はメモリナンバのいずれであるかを判別する（ステップＳＢ６）。カーソル位置が新規入力アイコンである場合には、新規入力処理を実行する（ステップＳＢ７）。カーソル位置がメモリナンバである場合には、メモリナンバ表示処理を実行する（ステップＳＢ８）。ステップＳＢ５において、決定スイッチがオンされない場合には、クリアスイッチがオンされたか否かを判別し（ステップＳＢ９）、このスイッチがオンされたときは、メインフローチャートに戻る。クリアスイッチがオンされない場合には、ステップＳＢ３に移行して、スイッチ検出のループ処理を繰り返す。ステップＳＢ７の新規入力処理、又は、ステップＳＢ８のメモリナンバ表示処理の後は、ステップＳＢ１に移行して、メニュー画面を表示する。
【００２５】
図５ないし図７は、図４のアドレス帳処理におけるステップＳＢ７の新規入力処理のフローチャートである。図５において、まず、新規入力画面を表示する（ステップＳＣ１）。図１４は、新規入力画面を示す図である。新規入力画面には、メモリエリアの番号を表示するエリア、相手先情報である名前、ヨミ、ＴＥＬ１、ＴＥＬ１タイプ、ＴＥＬ２、ＴＥＬ２タイプなどのデータなどを表示する入力欄、編集アイコンおよび登録アイコンが表示される。そして、名前の入力欄にカーソル表示をする（ステップＳＣ２）。
【００２６】
次に、カーソルスイッチ、データ入力スイッチ、登録スイッチの操作を検出する。すなわち、カーソルスイッチがオンされたか否かを判別し（ステップＳＣ３）、このスイッチがオンされたときは、カーソル表示位置を変更する（ステップＳＣ４）。データ入力がされたか否かを判別し（ステップＳＣ５）、データ入力がされたときは、カーソル位置に入力データを表示する（ステップＳＣ６）。図１４の画面の例では、名前、ヨミ、ＴＥＬ１、ＴＥＬ１タイプ、ＴＥＬ２のデータを入力した後、ＴＥＬ２タイプのデータを入力した状態を示している。データ入力がされた後、登録スイッチがオンされたか否かを判別し（ステップＳＣ７）、このスイッチがオンされない場合には、ステップＳＣ３に移行してスイッチの操作を検出する。
【００２７】
ステップＳＣ７において登録スイッチがオンされたときは、図６のフローチャートにおいて、メモリナンバのリスト画面を表示する（ステップＳＣ８）。図１５は、メモリナンバのリスト画面を示す図である。リスト画面には、５０個のメモリエリアの０００から０４９までの番号、決定アイコン、および切替アイコンが表示される。メモリエリアの数は５０個よりも多く（例えば、５００個）設けられており、図示しないページ切替アイコンの操作によって、他の５０個のリスト画面が表示される。
【００２８】
次に、レジスタＮにメモリエリアの最大数をストアして（ステップＳＣ９）、メモリナンバＮに登録データがあるか否かを判別する（ステップＳＣ１０）。登録データがある場合には、メモリナンバＮをカスレ表示にする（ステップＳＣ１１）。一方、登録データがない場合には、レジスタＮのメモリナンバをレジスタＮＮにストアして（ステップＳＣ１２）、メモリナンバＮをアクティブ表示にする（ステップＳＣ１３）。図１５のリスト画面において、ハッチングで示す部分がカスレ表示にされたメモリナンバであり、それ以外の部分がアクティブ表示にされたメモリナンバである。メモリナンバＮをカスレ表示又はアクティブ表示にした後は、Ｎの値を１だけデクリメントする（ステップＳＣ１４）。
【００２９】
このとき、Ｎの値が０より小さいか否かを判別する（ステップＳＣ１５）。Ｎの値が０以上である場合には、ステップＳＣ１０に移行して、メモリナンバＮのカスレ表示又はアクティブ表示の処理を繰り返す。ステップＳＣ１５において、Ｎの値が０より小さい場合には、メモリナンバＮＮにカーソル位置を表示する（ステップＳＣ１６）。すなわち、登録データがないメモリナンバの中で最も小さいメモリナンバにカーソル位置を表示する。図１５の場合には、メモリナンバ００１にカーソル位置を表示する。
【００３０】
次に、カーソルスイッチがオンされたか否かを判別し（ステップＳＣ１７）、カーソルスイッチがオンされたときは、カーソル位置を変更する（ステップＳＣ１８）。次に、レジスタＮＮにカーソル位置に対応したメモリナンバをストアする（ステップＳＣ１９）。そして、図７のフローチャートにおいて、メモリナンバＮＮに登録データがあるか否かを判別する（ステップＳＣ２０）。登録データがある場合には、メモリナンバＮＮの内容をポップアップ表示する（ステップＳＣ２１）。例えば、図１５において、メモリナンバ０１９には登録データがあるので、カーソルスイッチの操作でメモリナンバ０１９がカーソル位置でフォーカス（選択）されると、図１６に示すように、メモリナンバ０１９のメモリエリアの内容がポップアップ表示される。ステップＳＣ２０において、メモリナンバＮＮに登録データがない場合には、ポップアップ表示を消灯する（ステップＳＣ２２）。例えば、カーソルスイッチの操作でメモリナンバ０１９からメモリナンバ０１８にカーソル位置が移動されると、図１６に示したポップアップ表示を消灯する。
【００３１】
ステップＳＣ２１においてポップアップ表示をした後、又は、ステップＳＣ２２においてポップアップ表示を消灯した後は、図６のステップＳＣ１７に移行してカーソルスイッチのオン又はオフを判別する。カーソルスイッチがオンでない場合には、図７において、決定スイッチがオンであるか否かを判別し（ステップＳＣ２３）、このスイッチがオンでない場合には、図６のステップＳＣ１７に移行してカーソルスイッチのオン又はオフを判別する。
【００３２】
決定スイッチがオンされた場合には、メモリナンバＮＮに登録データがあるか否かを判別する（ステップＳＣ２４）。メモリナンバＮＮに登録データがない場合には、そのエリアに入力データをストアする（ステップＳＣ２５）。メモリナンバＮＮに登録データがある場合には、ポップアップ表示を消灯して（ステップＳＣ２６）、警告表示をする（ステップＳＣ２７）。例えば、「データが登録されています。この登録データを消去しますか？」などのメッセージを表示する。そして、決定スイッチがオンされたか否かを判別する（ステップＳＣ２８）。
【００３３】
決定スイッチがオンされたときは、警告表示を消灯して（ステップＳＣ２９）、ステップＳＣ２５に移行して、メモリナンバＮＮのエリアに入力データをストアする。すなわち、メモリナンバＮＮのエリアに登録されているポップアップ表示された内容を消去して、入力データの内容に更新する。ステップＳＣ２８において、決定スイッチがオンされない場合には、クリアスイッチがオンされたか否かを判別し（ステップＳＣ３０）、このスイッチがオンされない場合には、ステップＳＣ２７に移行して警告表示を維持する。クリアスイッチがオンされたときは、ステップＳＣ２１に移行して、メモリナンバＮＮの内容をポップアップ表示する。
【００３４】
図８ないし図１２は、図４のアドレス帳処理におけるステップＳＢ８のメモリナンバリスト表示処理のフローチャートである。図８において、まず、メモリナンバ画面を表示する（ステップＳＤ１）。次に、レジスタＮにメモリエリアの最大数をストアして（ステップＳＤ２）、メモリナンバＮに登録データがあるか否かを判別する（ステップＳＤ３）。登録データがある場合には、メモリナンバＮをカスレ表示にする（ステップＳＤ４）。一方、登録データがない場合には、メモリナンバＮをアクティブ表示にする（ステップＳＤ５）。メモリナンバＮをカスレ表示又はアクティブ表示にした後は、Ｎの値を１だけデクリメントする（ステップＳＤ６）。このとき、Ｎの値が０より小さいか否かを判別する（ステップＳＤ７）。Ｎの値が０以上である場合には、ステップＳＤ３に移行して、メモリナンバのカスレ表示又はアクティブ表示の処理を繰り返す。ステップＳＤ７において、Ｎの値が０より小さい場合には、メモリナンバ０００にカーソル位置を表示する（ステップＳＤ８）。
【００３５】
次に、カーソルスイッチがオンされたか否かを判別し（ステップＳＤ９）、カーソルスイッチがオンされたときは、カーソル位置を変更する（ステップＳＤ１０）。次に、レジスタＮにカーソル位置に対応したメモリナンバをストアする（ステップＳＤ１１）。そして、図９のフローチャートにおいて、メモリナンバＮに登録データがあるか否かを判別する（ステップＳＤ１２）。登録データがある場合には、メモリナンバＮの内容をポップアップ表示する（ステップＳＤ１３）。一方、メモリナンバＮに登録データがない場合には、ポップアップ表示を消灯する（ステップＳＤ１４）。
【００３６】
ステップＳＤ１３においてポップアップ表示をした後、又は、ステップＳＤ１４においてポップアップ表示を消灯した後は、図８のステップＳＤ９に移行してカーソルスイッチのオン又はオフを判別する。カーソルスイッチがオンでない場合には、図９において、決定スイッチがオンであるか否かを判別し（ステップＳＤ１５）、このスイッチがオンである場合には詳細画面を表示する（ステップＳＤ１６）。その画面におけるメモリナンバ表示エリアにＮのメモリナンバを表示して（ステップＳＤ１７）、その他の各表示エリアにメモリＮエリアの記憶内容を表示する（ステップＳＤ１８）。例えば、Ｎの値が０１９の場合には、図１６に示したポップアップ表示の内容が表示され、編集アイコンおよび登録アイコンが表示される。
【００３７】
次に、クリアスイッチがオンされたか否かを判別し（ステップＳＤ１９）、このスイッチがオンされたときは、図８のステップＳＤ１に移行して、メモリナンバリスト画面に戻る。クリアスイッチがオンされない場合には、図１０のフローチャートにおいて、表示されている編集アイコンに対応するスイッチがオンされたか否かを判別する（ステップＳＤ２０）。このスイッチがオンされたときは、登録データ更新の入力カーソルを表示する（ステップＳＤ２１）。すなわち、登録データの名前の表示エリアに入力カーソルを表示する。次に、カーソルスイッチがオンされたか否かを判別し（ステップＳＤ２２）、このスイッチがオンされたときは、入力カーソル位置を移動する（ステップＳＤ２３）。
【００３８】
データ入力がされたか否かを判別し（ステップＳＤ２４）、入力されたときは、入力カーソル位置に入力データを表示する（ステップＳＤ２５）。ステップＳＤ２０において編集アイコンに対応するスイッチがオンでない場合、ステップＳＤ２４においてデータ入力がない場合、又は、ステップＳＤ２５において入力データを表示した後は、表示されている登録アイコンに対応するスイッチがオンされたか否かを判別し（ステップＳＤ２６）、このスイッチがオンされたときは、メモリナンバＮのメモリエリアの登録データを消去して入力表示データをストアする（ステップＳＤ２７）。そして、図８のステップＳＤ１に移行して、再びメモリナンバリスト画面に戻る。
【００３９】
図９のステップＳＤ１５において、決定スイッチがオンでない場合には、図１１のフローチャートにおいて、切替アイコンに対応するスイッチがオンされたか否かを判別し（ステップＳＤ２８）、このスイッチがオンでない場合には、クリアスイッチがオンされたか否かを判別する（ステップＳＤ２９）。クリアスイッチがオンでない場合には、図８のステップＳＤ９に移行して、カーソルスイッチのオン又はオフを判別する。ステップＳＤ２９においてクリアスイッチがオンされたときは、このフローチャートを終了して、図４のアドレス帳処理のステップＳＢ１に移行してメニュー画面を表示する。
【００４０】
図１１のステップＳＤ２８において、切替スイッチがオンされたときは、切替メニュー画面をメモリナンバリスト画面の上に重ねて表示する（ステップＳＤ３０）。図１７は、切替メニュー画面を示す図である。この画面には、空きメモリ検索、グループ種別、電話種別その他の選択メニュー、決定アイコンおよび閉じるアイコンが表示される。そして、先頭のメニューである空きメモリ検索に選択カーソルを表示する（ステップＳＤ３１）。次に、カーソルスイッチがオンされたか否かを判別し（ステップＳＤ３２）、このスイッチがオンされたときは、他のメニューに選択カーソル位置を変更する（ステップＳＤ３３）。
【００４１】
この後、決定アイコンに対応するスイッチがオンされたか否かを判別し（ステップＳＤ３４）、このスイッチがオンされない場合には、閉じるアイコンに対応するスイッチがオンされたか否かを判別する（ステップＳＤ３５）。このスイッチがオンされたときは、切替メニュー画面を消去して（ステップＳＤ３６）、図８のステップＳＤ８に移行して、メモリナンバ０００にカーソル位置を表示する。ステップＳＤ３４において決定スイッチがオンされたときは、選択カーソル位置が空きメモリ検索であるか否かを判別し（ステップＳＤ３７）、空きメモリ検索の位置である場合には、図８のステップＳＤ２に移行して、メモリナンバごとに登録済みメモリエリアを示すカスレ表示、又は、空きメモリエリアを示すアクティブ表示を行う。
【００４２】
ステップＳＤ３７において選択カーソル位置が空きメモリ検索でない場合には、選択カーソル位置がグループ種別や電話種別などのデータ種別であるか否かを判別し（ステップＳＤ３８）、データ種別の位置である場合には、図１２のフローチャートにおいて、レジスタＮに０をストアして（ステップＳＤ３９）、Ｎの値をインクリメントしながら、ステップＳＤ４０からステップＳＤ４６までのループ処理を繰り返す。すなわち、メモリナンバＮに登録データがあるか否かを判別し（ステップＳＤ４０）、登録データがある場合には、選択された種別のデータがあるか否かを判別する（ステップＳＤ４１）。
【００４３】
選択された種別のデータがある場合には、その選択された種別のデータの内容によって決定された色（特定色ＡおよびＢ以外の色）でメモリナンバＮを表示する（ステップＳＤ４２）。一方、選択された種別のデータがない場合には、メモリナンバＮを特定色Ｂで表示する（ステップＳＤ４３）。ステップＳＤ４０において、メモリナンバＮに登録データがない場合には、メモリナンバＮを特定色Aでアクティブ表示にする（ステップＳＤ４４）。
【００４４】
図１８は、グループ種別が選択された場合のメモリナンバリスト画面を示す図である。クロスハッチングで示す部分は、グループ種別のデータの内容によって決定された色で表示されたメモリナンバであり、ハッチングで示す部分は、特定色Ｂでカスレ表示されたメモリナンバであり、ハッチングのない部分は、特定色Aでアクティブ表示されたメモリナンバである。
【００４５】
図１２のステップＳＤ４２、ステップＳＤ４３、ステップＳＤ４４において、それぞれメモリナンバＮを対応する色で表示した後は、Ｎの値を１だけインクリメントする（ステップＳＤ４５）。このとき、Ｎの値がメモリナンバの最大数を超えたか否かを判別する（ステップＳＤ４６）。Ｎの値が最大数以下である場合には、ステップＳＤ４０に移行して、上記のループ処理を繰り返す。ステップＳＤ４６において、Ｎの値が最大数を超えた場合には、図８のステップＳＤ８に移行して、メモリナンバ０００にカーソル位置を表示する。
【００４６】
以上のように、この実施形態によれば、加入者情報記憶部１４のアドレス帳には、複数のメモリエリアの各々に固有のメモリナンバが割り当てられ、各メモリエリアに電話番号を含む相手先情報を登録することが可能であり、制御部１３は、アドレス帳における複数のメモリエリアのメモリナンバを表示部４に一覧表示し、表示されたメモリナンバに基づいてアドレス帳の内容を編集する。したがって、登録している多くの相手先情報の中から発信目標の相手先情報を検索する際や、登録、削除、変更など相手先情報を編集する際に、煩雑なスイッチ操作を必要としない。
【００４７】
さらに、この実施形態によれば、制御部１３は、相手先情報が登録されているメモリエリアのメモリナンバと相手先情報が未登録のメモリエリアのメモリナンバとを、それぞれカスレ表示とアクティブ表示とによって異なる表示態様で一覧表示する。したがって、未登録のメモリエリアのメモリナンバに基づいて、所望のメモリナンバのメモリエリアに新規登録をすることができる。また、相手先情報が登録されているメモリエリアのメモリナンバがフォーカス操作に応じて選択されたときは、そのメモリナンバのメモリエリアの内容をポップアップ表示する。したがって、迅速かつ明瞭な検索操作が可能になる。
【００４８】
さらに、この実施形態によれば、制御部１３段は、相手先情報に含まれているデータ種別ごとに分類してその相手先情報を加入者情報記憶部１４のアドレス帳に登録し、相手先情報が登録されているメモリエリアのメモリナンバを、分類したデータ種別ごとに異なる表示色で一覧表示する。したがって、グループ種別、電話種別、又は星座種別などのデータ種別ごとに迅速かつ明瞭な検索操作が可能になる。
【００４９】
なお、上記実施形態においては、システムＲＯＭ１５にあらかじめ記憶されている通信情報処理のプログラムを制御部１３が実行する装置の発明について説明したが、記憶媒体制御部７から読み込まれた通信情報処理のプログラム、又は、無線送受信部１１によってネットワークを介して外部のサーバなどからダウンロードされた信情報処理のプログラムを書き込み可能な不揮発性メモリなどで構成されたシステムＲＯＭにインストールし、その通信情報処理のプログラムを制御部１３が実行するような構成も可能である。この場合には、プログラムの発明を実現する。
【００５０】
すなわち、そのプログラムは、複数のメモリエリアの各々に固有の識別情報が割り当てられ、各メモリエリアに電話番号を含む相手先情報を登録可能な記憶手段において、すべてのメモリエリアの識別情報又はあらかじめ設定されている数のメモリエリアの識別情報を所定の表示手段に一覧表示する第１のステップと、第１のステップによって一覧表示された識別情報に基づいて記憶手段の内容を編集する第２のステップと、を実行する。
【００５１】
この場合において、第１のステップは、相手先情報が登録されているメモリエリアの識別情報と相手先情報が未登録のメモリエリアの識別情報とを異なる表示態様で一覧表示する。あるいは、第２のステップは、データ種別ごとに分類して相手先情報を記憶手段に登録し、第１のステップは、相手先情報が登録されているメモリエリアの識別情報を分類されたデータ種別ごとに異なる表示態様で一覧表示する。
【図面の簡単な説明】
【００５２】
【図１】本発明の各実施例における携帯電話の構成を示すブロック図。
【図２】図１における加入者情報記憶部のアドレス帳エリアのデータ構成を示す図。
【図３】図１における制御部によって実行されるメインフローチャート。
【図４】図３におけるアドレス帳処理のフローチャート。
【図５】図４における新規入力処理のフローチャート。
【図６】図５に続く新規入力処理のフローチャート。
【図７】図６に続く新規入力処理のフローチャート。
【図８】図４におけるメモリナンバリスト処理のフローチャート。
【図９】図８に続くメモリナンバリスト処理のフローチャート。
【図１０】図９に続くメモリナンバリスト処理のフローチャート。
【図１１】図９に続くメモリナンバリスト処理のフローチャート。
【図１２】図１１に続くメモリナンバリスト処理のフローチャート。
【図１３】アドレス帳処理のメニュー画面を示す図。
【図１４】アドレス帳処理の新規入力画面を示す図。
【図１５】アドレス帳処理のメモリナンバのリスト画面を示す図。
【図１６】メモリナンバのリスト画面にポップアップ表示をした画面を示す図。
【図１７】メモリナンバのリスト画面に切替メニュー画面を表示した図。
【図１８】グループ種別のメモリナンバのリスト画面を示す図。
【符号の説明】
【００５３】
１  携帯電話
２  アンテナ
３  スピーカ
４  表示部
５  スイッチ入力部
６  マイク
７  記憶媒体制御部
８  背面表示部
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８、１９、２０  ドライバ
５１  オフフックスイッチ
５２  オンフックスイッチ
８１  ＬＥＤ
【図１】
2005045640.tif 000003
【図２】
2005045640.tif 000004
【図３】
2005045640.tif 000005
【図４】
2005045640.tif 000006
【図５】
2005045640.tif 000007
【図６】
2005045640.tif 000008
【図７】
2005045640.tif 000009
【図８】
2005045640.tif 000010
【図９】
2005045640.tif 000011
【図１０】
2005045640.tif 000012
【図１１】
2005045640.tif 000013
【図１２】
2005045640.tif 000014
【図１３】
2005045640.tif 000015
【図１４】
2005045640.tif 000016
【図１５】
2005045640.tif 000017
【図１６】
2005045640.tif 000018
【図１７】
2005045640.tif 000019
【図１８】
2005045640.tif 000020